(57)【要約】【課題】ブレが大きい場合であっても、ブレ補正を有効に機能させる。【解決手段】制御部２０は、時間軸方向に対して撮像された映像内の動き量を検出し、該動き量に基づいて、映像の切り取り位置を上下左右に移動させることでブレ補正を行う。このとき、切り取られる領域の位置が全画角内の端部に達した場合、すなわち、手ブレ補正のマージン（余白）がなくなった場合、切り取られる領域の画角を縮小してマージンを確保する。このように、切り取られる画角を切り取り位置に応じて調整された画角で切り取られた映像は、表示部２５の表示サイズに拡大されて表示される。【選択図】図１
2007300581.tif 000002
【特許請求の範囲】
【請求項１】
手ブレ補正を行って撮像した映像を表示する動画撮影装置であって、
映像を撮像する撮像手段と、
前記撮像手段により逐次撮像される映像を逐次表示する映像表示手段と、
時間軸方向に対して前記撮像手段によって撮像された映像内の動き量を検出する動き量検出手段と、
前記映像表示手段によって映像を表示する際に、前記撮像手段によって撮像された映像から所定の画角で映像を切り取るとともに、この切り取られた映像を所定の表示サイズに合わせて拡大または縮小する切取手段と、
前記動き量検出手段により検出される動き量に基づいて、前記切取手段による映像の切り取り位置を変化させることでブレ補正を行うブレ補正手段と、
前記切取手段により切り取られる領域の位置が全画角内の端部に達した場合または端部に達することが予測される場合、前記切取手段により切り取られる領域の画角を縮小する切取画角調整手段と
を具備することを特徴とする動画撮影装置。
【請求項２】
前記切取画角調整手段は、前記切取手段により切り取られる領域の位置が全画角内の端部に達していない場合または端部に達することが予測されなくなった場合、前記縮小されていた画角を拡大することを特徴とする請求項１記載の動画撮影装置。
【請求項３】
前記切取画角調整手段は、前記縮小されていた画角を拡大する際は、所定量ずつ徐々に拡大して元の画角に戻していくことを特徴とする請求項２記載の動画撮影装置。
【請求項４】
前記切取画角調整手段は、前記切取手段により切り取られる領域の位置が全画角内の端部に達した場合、該領域の位置を変えずに該領域を全画角内に収められるよう前記画角を縮小することを特徴とする請求項１ないし３のいずれかに記載の動画撮影装置。
【請求項５】
前記切取画角調整手段は、前記切取手段により切り取られる領域の端部と全画角内の端部との間の距離がより近づくに従って、前記画角を縮小する割合を増していくことを特徴とする請求項１ないし３のいずれかに記載の動画撮影装置。
【請求項６】
前記切取画角調整手段は、前記動き量検出手段により検出される動き量が所定の閾値を越えた場合には、前記切取手段により切り取られる領域の位置が全画角内の端部に達することが予測されるとものと判断し、前記切取手段により切り取られる領域の画角を縮小し、動き量が所定の閾値を下回った場合には、前記切取手段により切り取られる領域の位置が端部に達することが予測されなくなったものと判断し、前記切取手段により切り取られる領域の画角を拡大することを特徴とする請求項１記載の動画撮影装置。
【請求項７】
前記ブレ補正手段により変化させられている映像の切り取り位置を、所定量ずつ徐々に全画角内の中心部に戻していく切取位置調整手段を具備することを特徴とする請求項１乃至３記載の動画撮影装置。
【請求項８】
手ブレ補正を行って撮像した映像を表示する動画撮影プログラムであって、
コンピュータに、
映像を撮像する撮像機能、
逐次撮像される映像を逐次表示する映像表示機能、
時間軸方向に対して前記撮像された映像内の動き量を検出する動き量検出機能、
前記映像を表示する際に、撮像された映像から所定の画角で映像を切り取るとともに、この切り取られた映像を所定の表示サイズに合わせて拡大または縮小する切取機能、
前記検出される動き量に基づいて、前記映像の切り取り位置を変化させることでブレ補正を行うブレ補正機能、
前記切り取られる領域の位置が全画角内の端部に達した場合または端部に達することが予測される場合、前記切り取られる領域の画角を縮小する切取画角調整機能
を実現させることを特徴とする動画撮影プログラム。
【発明の詳細な説明】
【技術分野】
【０００１】
本発明は、手ブレ補正を行う動画撮影装置および動画撮影プログラムに関する。
【背景技術】
【０００２】
従来より、デジタルカメラでは、静止画に加え、動画撮影する機能が備えられている。動画撮影における手ブレ補正には、大別して２種類がある。第１の手ブレ補正（機械式手ぶれ補正）は、手ブレによるデジタルカメラ筐体の振動を検出する加速度／ジャイロセンサからの出力信号に基づいて、撮像素子か、あるいはレンズを揺らして手ブレをキャンセルする技術である。第２の手ブレ補正（電子式手ブレ補正）は、撮像素子から得られる映像全画角のうち、一部の画角を切り取りながら撮影を行い、手ブレに呼応して切り取り位置を揺らしながら記録する技術である（例えば、特許文献１参照）。
【０００３】
【特許文献１】特開２００４−２４８１７１号公報
【発明の開示】
【発明が解決しようとする課題】
【０００４】
しかしながら、上述した機械式手ブレ補正では、レンズが大型化してコストアップになるという問題がある。また、上述した電子式手ブレ補正では、切り取る画角のサイズが一定であり、ブレが大きい場合、ブレ補正が有効的に働かないという問題がある。
【０００５】
そこで本発明は、ブレが大きい場合であっても、ブレ補正を有効に機能させることができる動画撮影装置および動画撮影プログラムを提供することを目的とする。
【課題を解決するための手段】
【０００６】
上記目的達成のため、請求項１、８記載の発明は、時間軸方向に対して逐次撮像された映像内の動き量を検出し、撮像された映像から所定の画角で映像を切り取るとともに、この切り取られた映像を所定の表示サイズに合わせて拡大または縮小して逐次表示する際に、検出される動き量に基づいて、前記映像の切り取り位置を変化させることでブレ補正を行い、切り取られる領域の位置が全画角内の端部に達した場合、または端部に達することが予測される場合、切り取られる領域の画角を縮小することを特徴とする。
【０００７】
また、好ましい態様として、例えば請求項２記載のように、請求項１記載の動画撮影装置において、前記切取画角調整手段は、前記切取手段により切り取られる領域の位置が全画角内の端部に達していない場合または端部に達することが予測されなくなった場合、前記縮小されていた画角を拡大するようにしてもよい。
【０００８】
また、好ましい態様として、例えば請求項３記載のように、請求項２記載の動画撮影装置において、前記切取画角調整手段は、前記縮小されていた画角を拡大する際は、所定量ずつ徐々に拡大して元の画角に戻していくようにしてもよい。
【０００９】
また、好ましい態様として、例えば請求項４記載のように、請求項１ないし３のいずれかに記載の動画撮影装置において、前記切取画角調整手段は、前記切取手段により切り取られる領域の位置が全画角内の端部に達した場合、該領域の位置を変えずに該領域を全画角内に収められるよう前記画角を縮小するようにしてもよい。
【００１０】
また、好ましい態様として、例えば請求項５記載のように、請求項１ないし３のいずれかに記載の動画撮影装置において、前記切取画角調整手段は、前記切取手段により切り取られる領域の端部と全画角内の端部との間の距離がより近づくに従って、前記画角を縮小する割合を増してようにしてもよい。
【００１１】
また、好ましい態様として、例えば請求項６記載のように、請求項１記載の動画撮影装置において、前記切取画角調整手段は、前記動き量検出手段により検出される動き量が所定の閾値を越えた場合には、前記切取手段により切り取られる領域の位置が全画角内の端部に達することが予測されるとものと判断し、前記切取手段により切り取られる領域の画角を縮小し、動き量が所定の閾値を下回った場合には、前記切取手段により切り取られる領域の位置が端部に達することが予測されなくなったものと判断し、前記切取手段により切り取られる領域の画角を拡大するようにしてもよい。
【００１２】
また、好ましい態様として、例えば請求項７記載のように、請求項１ないし６のいずれかに記載の動画撮影装置において、前記ブレ補正手段により変化させられている映像の切り取り位置を、所定量ずつ徐々に全画角内の中心部に戻していく切取位置調整手段を具備するようにしてもよい。
【発明の効果】
【００１３】
本発明によれば、時間軸方向に対して逐次撮像された映像内の動き量を検出し、撮像された映像から所定の画角で映像を切り取るとともに、この切り取られた映像を所定の表示サイズに合わせて拡大または縮小して逐次表示する際に、検出される動き量に基づいて、前記映像の切り取り位置を変化させることでブレ補正を行い、切り取られる領域の位置が全画角内の端部に達した場合、または端部に達することが予測される場合、切り取られる領域の画角を縮小するようにしたので、ブレが大きい場合であっても、ブレ補正を有効に機能させることができるという利点が得られる。
【発明を実施するための最良の形態】
【００１４】
以下、本発明の実施の形態を、図面を参照して説明する。
【００１５】
Ａ．第１実施形態
Ａ−１．第１実施形態の構成
図１は、本発明の第１実施形態によるデジタルカメラの構成を示すブロック図である。図において、画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタンが操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００１６】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００１７】
次に、制御部（ＣＰＵ）２０は、後述するプログラムメモリ格納されるプログラムに従ってデジタルカメラ１（撮像装置）の全体を制御する。特に、本第１実施形態では、手ブレ補正のマージン（余白）がなくなった場合に、画像の切り出し領域のサイズを縮小することでマージンを確保するようになっている。
【００１８】
プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００１９】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００２０】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。
【００２１】
デジタル信号処理部２８は、アナログ信号処理部１５を介して入力されたデジタルデータに対して、ホワイトバランス処理、色処理、階調処理、輸郭強調、ＲＧＢ形式からＹＵＶ形式への変換、ＹＵＶ形式からＪＰＥＧ形式への変換を行う。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００２２】
プログラムメモリ３０は、制御部２０にロードされる各種プログラムや、ベストショット機能におけるＥＶ値、色補正情報などを格納する。画像メモリ３１は、イメージバッファ２６に一時的に保持された画像データや、各種ファイル形式に変換されたデジタルデータ、動画データなどを格納する。カードＩ／Ｆ３２は、外部記録媒体３３とデジタルカメラ本体との間のデータ交換を制御する。
【００２３】
外部記録媒体３３は、コンパクトフラッシュ（登録商標）、メモリースティック、ＳＤカード等からなる着脱可能な記録媒体である。外部接続用Ｉ／Ｆ３４は、ＵＳＢコネクター用スロットなどからなり、パーソナルコンピュータなどと接続され、撮影した画像データの転送などに用いられる。ＲＡＭ３５は、制御部（ＣＰＵ）２０の制御に必要な各種パラメータや、夜景撮影時の各種パラメータ（ゲイン（ＩＳＯ感度）、絞り、シャッタスピード、画像合成のための閾値、重みなど）などを記憶する。
【００２４】
Ａ−２．第１実施形態の動作
次に、上述した第１実施形態の動作について説明する。ここで、図２および図３は、本第１実施形態によるデジタルカメラの動作を説明するためのフローチャートである。また、図４ないし図７は、本第１実施形態による、手ブレ補正なし、手ブレ補正あり＆撮影開始時、動画撮影中、切り出し領域のサイズ補正時を説明するための模式図である。
【００２５】
動画撮影モードにすると、アナログ信号処理部１５において、撮像センサ（ＣＣＤ，ＣＭＯＳ）１６に結像された映像（全画角）を取り込み、所定の信号処理を施した後、図４に示すように、表示部２５にスルー表示する（ステップＳ１０）。撮影開始前は、画角１００％、すなわち、プレマージンがゼロの状態である。この状態で、ユーザにより動画撮影開始操作が行われると（ステップＳ１２）、まず、画像切り出し領域の中心が全画角内の中心になるように画像切り出し領域位置をセット（初期化）する（ステップＳ１３）、次に、手ブレ補正がオン状態に設定されているか否かを判断する（ステップＳ１４）。そして、手ブレ補正がオフ状態に設定されている場合には、通常の手ブレ補正を行わない動画撮影処理に進む（ステップＳ１６）。
【００２６】
一方、手ブレ補正がオン状態に設定されている場合には、切り取り画角を８０％にセット、すなわち、プレマージンを２０％にする（ステップＳ１８）。次に、アナログ信号処理部１５からの複数フレームをバッファリングし（ステップＳ２０）、対象フレームと隣接フレームとの差分から動きベクトルを検出する（ステップＳ２２）。次に、動きベクトルに従って、画像切り抜きオフセット（切り抜き位置の前後左右へ調整値）を算出し（ステップＳ２４）、この算出されたオフセット値を現在の画像切り出し領域位置に加算して画像切り出し領域位置を更新する。そして、この更新された切り出し領域位置と現在の切り取り画角で指定される切り出し領域の全体が画像データ範囲内（全画角内）に収まっているか否かを判断する（ステップＳ２６）。この場合、切り出し領域の端部が全画角内の端部よりはみ出すか否かを判断してもよいし、切り出し領域の端部と全画角内の端部との距離が予め決められた距離よりも近いか否かを判断してもよい。
【００２７】
そして、切り出し領域位置が画像データ範囲外であれば、切り出し領域サイズ（切り取り画角）を縮小し（ステップＳ２８）、一方、切り出し領域位置が画像データ範囲内であれば、何もせずに次に進む。この場合、切り出し領域の位置を変えずに全画角内に収めるのに必要なだけ切り出し領域サイズを縮小してもよいし、切り出し領域の端部と全画角内の端部との距離がより近い程、縮小する割合を大きくするようにしてもよい。
次に、上記切り取り画角で画像を切り抜き（ステップＳ３０）、該画像を表示部２５の表示領域に拡大し（ステップＳ３４）、表示部２５に表示する（ステップＳ３６）。
【００２８】
そして、現在の画像切り出し領域位置を少しだけ中心に戻す（ステップＳ３７）。これは、撮影者が意図しない手振れに画像切り出し領域位置を追従させる他、撮影者が意図するカメラのパーン動作に画像切り出し領域位置を追従させるためのものである。この中心に戻す処理は、フレーム毎に一定量ずつ戻してもよいし、画像切り出し領域位置の端部と全画角内の端部との距離がより小さい程、一度に戻す量を大きくするようにしてもよい。このようにすれば、手振れが小さい時にはより滑らかな動画となるとともに、より大きな手振れにも対応することが可能になる。
【００２９】
次に、バッファエンドであるか否かを判断し（ステップＳ３８）、バッファエンドでない場合には、次のフレームを選択する（ステップＳ４０）。次に、何らかの操作、または撮影終了か否かを判断し（ステップＳ４２）、撮影が継続されている場合には、ステップＳ２２に戻り、動きベクトルの検出、切り抜きオフセットの算出、該オフセットに基づく切り取り領域サイズ（切り取り画角）の縮小、画像の切り抜き、表示部２５への表示を行う。
【００３０】
一方、バッファエンドである場合には、切り抜いた複数フレームの画像をエンコードし、画像メモリ３１に記録する（ステップＳ４４）。その後、ステップＳ１８に戻り、複数フレームのバッファリング、動きベクトルの検出、切り抜きオフセットの算出、該オフセットに基づく切り取り領域サイズ（切り取り画角）の縮小、画像の切り抜き、表示部２５への表示を行う。
【００３１】
そして、ステップＳ４２において、撮影終了の操作があると、記録した画像を動画ファイルとして保存し（ステップＳ４６）、その後、当該処理を終了する。
【００３２】
上述した動作により、動画撮影開始直後は、図５に示すように、画像データの中心部であることが多い。この切り出し領域位置を始点とし、前フレームからの動き量に応じて、上下左右に切り出し領域を移動させる。画像によっては、切り出し領域位置が、最上位置、最下位置、最左位置、最右位置に達してしまうことがある。この場合、その方向に対して、これ以上の手ブレ補正を行うことができなくなる。
【００３３】
そこで、動画撮影中には、切り出し領域は、図６に示すように、手ブレ補正のために前後左右に移動することになる。そして、手ブレ補正のために切り出し領域が画像データ範囲外になり、マージンがなくなった場合には、図７に示すように、切り出し領域サイズ（切り取り画角）を縮小する。これにより、マージンを確保することができ、手ブレ補正を有効に機能させることが可能となる。
【００３４】
上述した第１実施形態では、手ブレ補正を有効とした動画撮影時において、手ブレ補正のマージンがなくなった場合、切り出し領域のサイズ、すなわち切り取り画角を縮小することにより、マージンを確保し、ブレの大きい動画に対しても、手ブレ補正を有効に機能させることができる。
【００３５】
Ｂ．第１実施形態の変形例
次に、本発明の第１実施形態の変形例について説明する。
図８は、本第１実施形態の変形例の動作を説明するためのフローチャート（一部）である。本第１実施形態の変形例では、前述した第１実施形態と同様に、ステップＳ２２で、対象フレームと隣接フレームとの差分から動きベクトルを検出した後、ステップＳ２４で、画像の切り抜きオフセットを算出し、該動きベクトルに基づく動き量が所定の閾値を越えたか判断し（ステップＳ５０）、所定の閾値を越えたら切り出し領域のサイズを縮小し（ステップＳ５２）、動き量が閾値を下回ったら切り出し領域を拡大する（ステップＳ５４）。それ以降は、前述した第１実施形態と同じである。
【００３６】
上述した第１実施形態、および第１実施形態の変形例では、切り出し領域位置の端部と全画角内の端部との距離にまだ余裕がある場合でも、ブレが大きい場合には、切り出し領域が全画角からはみ出してしまう可能性が高いと予測し、事前に切り出し領域のサイズを小さくすることで、ブレが大きくなった場合であっても、適切な手ブレ補正を行いつつ動画撮影することが可能となる。
【００３７】
また、上述した第１実施形態の変形例では、ブレが小さい場合、すなわち、切り取られる領域の位置が全画角内の端部に達していない場合または端部に達することが予測されなくなった場合には、切り出し領域のサイズ（画角）を拡大することで、ブレの大きさに応じた適切なサイズで手ブレ補正を行いつつ動画撮影することが可能となる。
【００３８】
また、上述した第１実施形態の変形例では、ブレが小さい場合に、縮小されていた画角を拡大する際は、所定量ずつ徐々に拡大して元の画角に戻していくことで、画角が滑らかに変化するので、適切な手ブレ補正を行いつつ滑らかな動画撮影することが可能となる。
【００３９】
また、上述した第１実施形態、および第１実施形態の変形例では、切り取られる領域の位置が全画角内の端部に達した場合、該領域の位置を変えずに該領域を全画角内に収められるよう画角を縮小するので、適切な手ブレ補正を行いつつ、より滑らかな動画撮影することが可能となる。
【００４０】
また、上述した第１実施形態、および第１実施形態の変形例では、切り取られる領域の端部と全画角内の端部との間の距離がより近づくに従って、画角を縮小する割合を増すようにしたので、ブレの大きさに応じた適切なサイズで手ブレ補正を行いつつ動画撮影することが可能となる。
【００４１】
また、上述した第１実施形態の変形例では、動き量が所定の閾値を越えた場合には、切り取られる領域の位置が全画角内の端部に達することが予測されるとものと判断して切り出し領域のサイズを縮小し、動き量が閾値を下回った場合には、切り取られる領域の位置が端部に達することが予測されなくなったものと判断して切り出し領域を拡大するようにしたので、ブレの大きさに応じた適切なサイズで手ブレ補正を行いつつ動画撮影することが可能となる。
【００４２】
また、上述した第１実施形態、および第１実施形態の変形例では、映像の切り取り位置を、所定量ずつ徐々に全画角内の中心部に戻すようにしたので、撮影者が意図しない手振れに画像切り出し領域位置を追従させる他、撮影者が意図するカメラのパーン動作に画像切り出し領域位置を追従させることができる。
【００４３】
Ｃ．第２実施形態
次に、本発明の第２実施形態について説明する。前述した第１実施形態では、動画撮影時のブレ補正中に切り出し領域のサイズを変更するとしたが、本第２実施形態では、前回の撮影時に取得した動き量に応じて、切り出し領域のサイズを調整することを特徴としている。動画撮影時のブレ補正中に、上下左右各方向の最大動き量と累積動き量、切り出し領域位置がそれぞれ最上位置、最下位置、最左位置、最右位置に達してしまったか等の情報を記憶しておき、該情報に基づいて、次回の動画撮影で用いる切り出し領域サイズ（気取り画角）を決定する。すなわち、動画撮影時のブレ補正中には、切り出し領域サイズを変更しない。
【００４４】
上述した第２実施形態では、前回の再生時に取得した最大動き量と累積動き量、および切り出し領域位置がそれぞれ最上位置、最下位置、最左位置、最右位置に達してしまったか等の情報に基づいて、切り出し領域のサイズを決定するようにしたので、ブレの大きな動画に対しても、手ブレ補正を有効に機能させることができる。なお、前述した第１実施形態では、動画再生中に表示される拡大率が変更されるのに対して、本第２実施形態では、表示部２５へ表示する際の拡大率が一定である。
【図面の簡単な説明】
【００４５】
【図１】本発明の第１実施形態によるデジタルカメラの構成を示すブロック図である。
【図２】本第１実施形態によるデジタルカメラの動作を説明するためのフローチャートである。
【図３】本第１実施形態によるデジタルカメラの動作を説明するためのフローチャートである。
【図４】本第１実施形態において、手ブレ補正なし時の状態を説明するための模式図である。
【図５】本第１実施形態において、手ブレ補正あり＆撮影開始時の状態を説明するための模式図である。
【図６】本第１実施形態において、動画撮影中の状態を説明するための模式図である。
【図７】本第１実施形態において、切り出し領域のサイズ補正時の状態を説明するための模式図である。
【図８】本第１実施形態の変形例の動作を説明するためのフローチャート（一部）である。
【符号の説明】
【００４６】
１  デジタルカメラ
１０  画像取得部
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
１９  フラッシュ
２０  制御部
２２  プレビューエンジン
２３  Ｄ／Ａコンバータ
２４  ドライバ
２５  表示部
２６  イメージバッファ
２７  キー操作部
２８  デジタル信号処理部
２９  画像圧縮／伸張処理部
３０  プログラムメモリ
３１  画像メモリ
３２  カードＩ／Ｆ
３３  外部記録媒体
３４  外部接続用Ｉ／Ｆ
３５  ＲＡＭ
【図１】
2007300581.tif 000003
【図２】
2007300581.tif 000004
【図３】
2007300581.tif 000005
【図４】
2007300581.tif 000006
【図５】
2007300581.tif 000007
【図６】
2007300581.tif 000008
【図７】
2007300581.tif 000009
【図８】
2007300581.tif 000010